(57)【要約】【課題】微生物を利用する廃棄物処理装置において、多量の水分を含む生ごみが投入された場合に水分過多により、臭気が増大するという課題を有していた。【解決手段】撹拌翼２４を有すると共に担体２５を内装する微生物処理槽２１と、微生物処理槽２１の上流側に設けられた乾燥手段２６と、乾燥手段２６に廃棄物を投入するための開閉可能な蓋２９と、乾燥手段２６と微生物処理槽２１とを隔てる隔壁の一部に設けられた開閉可能なシャッタ２８とを備え、蓋２９とシャッタ２８とが連動して開閉する構成とし、蓋２９を開放する時にシャッタ２８が連動して閉鎖するようにした。これにより、シャッタ２８を閉塞するために電動機などの動力源を必要とせず、また、蓋２９を開ける時にシャッタ２８を確実に閉める動作が実現でき、多量の水分を含む生ごみが微生物処理槽２１に直接投入されることもなく、臭気が増大しない廃棄物処理装置を実現できる。【選択図】　図１
2004016891.tif 000002
【特許請求の範囲】
【請求項１】
撹拌手段を有すると共に担体を内装する微生物処理槽と、前記微生物処理槽の上流側に設けられた乾燥手段と、前記乾燥手段に廃棄物を投入するための開閉可能な蓋と、前記乾燥手段と前記微生物処理槽とを隔てる隔壁の一部に設けられた開閉可能なシャッタとを備え、前記蓋と前記シャッタとが連動して開閉する構成とした廃棄物処理装置。
【請求項２】
蓋を開放する時にシャッタが連動して閉鎖する請求項１記載の廃棄物処理装置。
【請求項３】
蓋と連動して閉じたシャッタを閉塞状態で保持すると共に、任意操作により開放状態に保持するラッチを備えた請求項１記載の廃棄物処理装置。
【請求項４】
制御装置を備え、前記制御装置に接続されたラッチを駆動し、シャッタを開放状態にすることによって、生ごみ等廃棄物を投下する請求項３記載の廃棄物処理装置。
【請求項５】
蓋の開放時の行程の一部はシャッタと連動し、それ以外は連動しない請求項２記載の廃棄物処理装置。
【請求項６】
蓋の閉塞操作を検知して、その操作より所定時間後にシャッタ開放する請求項４記載の廃棄物処理装置。
【請求項７】
蓋の開放時にはシャッタが連動し、蓋の閉塞時にはシャッタが連動しない請求項２記載の廃棄物処理装置。
【請求項８】
蓋を閉じる時の閉塞力の一部を、前記蓋と連動したバネなどの蓄力装置に蓄え、シャッタの開放の動力に用いる請求項２記載の廃棄物処理装置。
【発明の詳細な説明】
【０００１】
【発明の属する技術分野】
本発明は主として家庭用又は業務用の廃棄物を減容、減量処理する廃棄物処理装置に関するものである。
【０００２】
【従来の技術】
従来の家庭などで発生する生ごみ等の廃棄物の量を減量したり、減容したりする廃棄物処理装置では、図６に示すように、廃棄物処理装置本体５０内に微生物の生息場所となるおがくず等の微生物担体５１を入れた微生物処理槽５２と、投入された生ゴミ５３と微生物担体５１とを混合、撹拌するための回転撹拌棒５４及びその駆動装置５５を有し、投入された生ごみ５３を微生物により最終的には二酸化炭素と水、その他に分解し、生ごみ５３を減量、減容するもので、微生物処理槽５２内の温度を適正に保つための加熱手段５６、酸素（空気）を供給するための送風装置５７、それらの制御を行う制御手段（図示せず）を備え、微生物の働きにより生ごみ等の廃棄物を分解し減量、減容するいわゆるバイオ式生ごみ処理機といわれる装置が一般的に知られている。
【０００３】
【発明が解決しようとする課題】
しかしながら、前記従来の技術で述べたバイオ式生ごみ処理機にあっては、湿潤な生ごみの連続投入があった時等に、微生物処理槽が水分過多となり、嫌気性細菌が優位になることにより、臭気の原因となる分解生成物が多量に生成されると言う課題を有していた。
【０００４】
本発明は、前記従来の課題を解決するもので、生ごみ等の廃棄物をある程度乾燥してから、微生物処理槽に投入することにより、臭気の発生の少ない、使い勝手の良い廃棄物処理装置を実現するものである。
【０００５】
【課題を解決するための手段】
前記従来の課題を解決するために、本発明の廃棄物処理装置は、撹拌手段を有すると共に担体を内装する微生物処理槽と、前記微生物処理槽の上流側に設けられた乾燥手段と、前記乾燥手段に廃棄物を投入するための開閉可能な蓋と、前記乾燥手段と前記微生物処理槽とを隔てる隔壁の一部に設けられた開閉可能なシャッタとを備え、前記蓋と前記シャッタとが連動して開閉する構成として、使い勝手の良い低臭気の廃棄物処理装置を提供するものである。
【０００６】
【発明の実施の形態】
請求項１に記載の発明は、撹拌手段を有すると共に担体を内装する微生物処理槽と、前記微生物処理槽の上流側に設けられた乾燥手段と、前記乾燥手段に廃棄物を投入するための開閉可能な蓋と、前記乾燥手段と前記微生物処理槽とを隔てる隔壁の一部に設けられた開閉可能なシャッタとを備え、前記蓋と前記シャッタとが連動して開閉する構成とすることにより、電動機などの動力源を必要としないで、乾燥手段と微生物処理槽を分離するシャッタを動作することができ、省エネルギと使用の快適性と、確実性を高めた生ごみ等の廃棄物処理装置を実現できるものである。
【０００７】
請求項２に記載の発明は、特に、請求項１記載の蓋を開放する時にシャッタが連動して閉鎖することにより、シャッタを閉塞するために電動機などの動力源を必要とせず、かつ、蓋を開ける時にシャッタを確実に閉める確実な動作が実現できるもので、よりコンパクトで、動作が確実に動作する生ごみ等の廃棄物処理装置を実現できるものである。
【０００８】
請求項３に記載の発明は、特に、請求項１記載の蓋と連動して閉じたシャッタを閉塞状態で保持すると共に、任意操作により開放状態に保持するラッチを備えることにより、シャッタの開閉が蓋の開放操作とラッチの開放操作により、自由に操作可能となり、乾燥手段における乾燥工程の時間などを自由に外部より制御できるもので、より省エネルギでコンパクトな生ごみ等の廃棄物処理装置を実現できるものである。
【０００９】
請求項４に記載の発明は、特に、請求項３記載の発明に加えて制御装置を備え、前記制御装置に接続されたラッチを駆動し、シャッタを開放状態にすることによって、生ごみ等廃棄物を投下することにより、乾燥時間などを制御装置によって自由に設定可能となり、電動機等のシャッタの開閉動力源を用いずに実現できるもので、より省エネルギで安価に自動化された乾燥工程を備えた生ごみ等の廃棄物処理装置を実現できるものである。
【００１０】
請求項５に記載の発明は、特に、請求項２記載の蓋開放時の行程の一部はシャッタと連動し、それ以外は連動しないことにより、蓋開放が中途半端であってもシャッタを完全に閉塞することが可能で、蓋の開放時には常にシャッタを完全に閉塞することができるため、投入したごみが、そのまま微生物処理槽に入ることがなく、常に乾燥手段で留置され乾燥工程を確実に経ることができ、より失敗のない乾燥工程を備えた生ごみ等の廃棄物処理装置を実現できるものである。
【００１１】
請求項６に記載の発明は、特に、請求項４記載の蓋の閉塞操作を検知して、その操作より所定時間後にシャッタ開放するものにして、使用者が意識することなく、常に一定の乾燥時間を実現でき、より使い勝手の良い生ごみ等の廃棄物処理装置を実現できるものである。
【００１２】
請求項７に記載の発明は、特に、請求項２記載の蓋の開放時にはシャッタが連動し、蓋の閉塞時にはシャッタが連動しないことにより、短時間に頻繁な蓋開閉にあっても、シャッタが開放することはなく、常に一定の乾燥時間を実現でき、より使い勝手の良い生ごみ等の廃棄物処理装置を実現できるものである。
【００１３】
請求項８に記載の発明は、特に、請求項２記載の蓋を閉じる時の閉塞力の一部を、前記蓋と連動したバネなどの蓄力装置に蓄え、シャッタの開放の動力に用いることにより、シャッタ開放時の動作性を高め、ごみによるシャッタの固着等があってもシャッタの開放が確実に実現できるものにして、常に安定した動作性と一定の乾燥時間を実現でき、より使い勝手の良い生ごみ等の廃棄物処理装置を実現できるものである。
【００１４】
【実施例】
以下本発明の実施例について、図面を参照しながら説明する。
【００１５】
（実施例１）
図１は、本発明の第１の実施例における廃棄物処理装置の断面図を示すものである。図１において２０は廃棄物処理装置本体（以下、本体と呼ぶ）である。２１は本体２０の下部に配置された微生物処理槽である。微生物処理槽２１内には制御装置２２に接続された撹拌モータ（撹拌手段）２３により回転駆動される撹拌翼（撹拌手段）２４が回転し、微生物処理槽内２１内に内装された生ごみおよびおがくず等の担体２５を撹拌するものである。また、微生物処理槽２１内には外気と連通した給排気手段（図示せず）が設けられている。２６は本体２０の上部で、微生物処理槽２１の上方に位置する乾燥室にして、送風機２７が送風可能に配置されている。そして、乾燥室２６と送風機２７とで乾燥手段を構成している。２８は乾燥室２６の下端で、底面の一部を形成するシャッタにして、開閉することにより、乾燥室２６と微生物処理槽２１を連通したり、隔離したりする。
【００１６】
２９は開閉自在なる本体２０の蓋にして、ヒンジ３０で本体２０と回動自在に連結され、前記乾燥室２６の上壁の一部をなしている。３１は前記蓋２９と略一体に形成され、本体２０内部に伸ばした伝達アームにして、蓋２９と同様にヒンジ３０を中心にして回動する。３２は伝達アームの先端に形成された蓋歯車にして、前記シャッタ２８と略一体に固定されたシャッタ歯車３３と嵌合し、蓋２９の開閉動作に合わせてシャッタ２８を連動動作する。３４は前記制御装置２２に接続制御されるラッチにして前記シャッタ２８を閉塞状態で保持し、制御装置２２の信号によって開放する。
【００１７】
以上の構成において動作を説明する。
【００１８】
図２は本発明の実施例１の動作を表したフローチャートである。実施例１による廃棄物処理装置の本体２０の蓋２９を開放し、乾燥室２６に生ごみＡを投入する（Ｓ０００１）。その際、シャッタ２８は閉じた状態である。その後、蓋２９を閉めて、開始スイッチ（図示せず）を入れると（Ｓ０００２）、制御装置２２は送風機２７を駆動し、乾燥室２６に外気を送風する（Ｓ０００３）。この送風によって生ごみＡは徐々に水分を奪われ乾燥していく。所定時間の送風後、制御装置２２は送風機２７を停止する（Ｓ０００４）。
【００１９】
次に、制御装置２２はラッチ３４を駆動し、（Ｓ０００５）シャッタ２８を開放し（Ｓ０００６）、乾燥室２６と微生物処理槽２１が連通し（Ｓ０００７）、同時に自重によって乾燥した生ごみＡは下方の微生物処理槽２１に落下する。その後、生ごみＡは微生物処理槽２１内で、ごみ及びおがくず等の担体２５とともに撹拌され、微生物によって分解処理される。また、シャッタ２８は蓋２９の開放時に連動して閉鎖される（Ｓ０００８）。
【００２０】
さて、図３は蓋２９の開閉動作に対するシャッタ２８の動作を表した図である。蓋２９の開放操作にシャッタ２８は連動して閉鎖するが、その開放行程の途中ａ点でシャッタ２８は閉塞し、それ以上連動しない。
【００２１】
以上のように生ごみ等の廃棄物を処理するわけであるが、シャッタ２８は蓋２９の開放操作の力を利用して閉塞するため、電動機などの動力源を必要とせず、なおかつ確実な動作が実現できるものである。また、閉じたシャッタ２８をラッチ３４で閉塞保持することにより、任意の操作によってシャッタの開放が可能となり、任意の乾燥程度を選択して微生物処理槽２１へのごみの移送が可能となり、乾燥室２６における乾燥工程の時間などを自由に外部より制御できるものである。また、前記ラッチ３４を制御装置２２により駆動することにより、微生物処理槽２１へのごみの移送を自動的に実施でき、より簡便な生ごみ等の廃棄物処理装置を実現できるものである。
【００２２】
また、蓋２９の開放時にはシャッタ２８が連動し閉塞し、蓋２９の閉塞時にはシャッタ２８が連動しないことにより、短時間に頻繁な蓋２９の開閉があっても、シャッタ２８が開放することはなく、常に一定の乾燥時間を実現でき、より使い勝手の良い生ごみ等の廃棄物処理装置を実現できるものである。
【００２３】
また、シャッタ２８は前述のとおり、蓋２９の開放操作の途中まで、連動動作して、閉塞するため、蓋２９を完全に開けたときにはシャッタ２８はいつも完全に閉まった状態となり、ごみ投入の時には常にシャッタ２８が閉まっていることとなり、不用意に微生物処理槽２１に多量に水分を含んだ生ごみや異物を投入してしまうことが防止できる。
【００２４】
（実施例２）
図４は、本発明の第２の実施例における廃棄物処理装置の要部断面図を示すものである。
【００２５】
図４において、実施例１の構成と異なるところについて説明を行う。３５は蓋２９の閉塞状態を検知する蓋センサで、制御装置２２に接続されている。また、制御装置２２内にはタイマーを内装するものである。
【００２６】
以上述べた構成について、動作を説明する。
【００２７】
蓋センサ３５によって蓋２９の閉塞状態がわかるため、制御装置２２内に設けたタイマーによって、蓋の閉塞時から所定の時間後に自動的にごみを微生物処理槽２１へ移送することができ、使用者は意識することなく、乾燥行程から移送への行程を自動で実現でき、より簡便で確実な動作をする蓋２９を廃棄物処理装置を実現できるものである。
【００２８】
（実施例３）
図５は、本発明の第３の実施例における廃棄物処理装置の要部断面図を示すものである。
【００２９】
図５において、実施例１の構成と異なるところについて説明を行う。３６はバネ等を利用した蓄力装置にして、蓋２９の閉塞時に連動して、蓋２９の閉塞時の操作力を蓄積する。この状態でシャッタ２８には蓄力装置３６より付勢されている。
【００３０】
以上述べた構成について、動作を説明する。
【００３１】
シャッタ２８は蓋２９の開放時に閉塞し、ラッチ３４により保持されている。次に蓋２９の閉塞操作をするとシャッタ２８はラッチ３４により保持されているため、閉じたままで、蓄力装置３６には蓋２９の閉塞力が蓄積され、シャッタ２８を開放する方向に付勢される。
【００３２】
以上の動作によって、シャッタ２８は蓋２９を閉じることで、蓄力装置３６からの力を受け、ラッチ３４の開放時には同蓄力装置３６によって開放される。このとき、シャッタ２８は蓄力装置３６より力を受け、駆動されるため、より確実なシャッタ２８の開放が可能となるものである。
【００３３】
尚、上記実施例１〜実施例３において、乾燥手段として、送風機を備えた乾燥室を例にとり説明を行ったが、乾燥手段は厨芥の廃棄物を乾燥させるものであればどのようなものであっても良く、送風機を備えた乾燥室だけでなく、例えばヒータによる加熱等の手段を講じても良いものである。
【００３４】
【発明の効果】
以上のように、請求項１〜８に記載の発明によれば、廃棄物を乾燥減容減量する廃棄物処理装置にあって、乾燥処理を高湿度条件などの外気環境下であっても運転でき、より短時間に効率よく乾燥でき、においの排出のない使い勝手の良い廃棄物処理装置の実現できるものである。
【図面の簡単な説明】
【図１】本発明の実施例１における廃棄物処理装置の構成を示す断面図
【図２】同廃棄物処理装置の動作を表すフローチャート
【図３】同廃棄物処理装置の蓋とシャッタとの動作を示す図
【図４】本発明の実施例２における廃棄物処理装置の要部断面図
【図５】本発明の実施例３における廃棄物処理装置の構成を示す断面図
【図６】従来の廃棄物処理装置の構成を示す断面図
【符号の説明】
２０　廃棄物処理装置本体
２１　微生物処理槽
２２　制御装置
２３　撹拌モータ（撹拌手段）
２４　撹拌翼（撹拌手段）
２５　生ごみおよびおがくず等の担体
２６　乾燥室
２７　送風機
２８　シャッタ
２９　本体蓋
３０　ヒンジ
３１　伝達アーム
３２　蓋歯車
３３　シャッタ歯車
３４　ラッチ
３５　蓋センサ
３６　蓄力装置
【図１】
2004016891.tif 000003
【図２】
2004016891.tif 000004
【図３】
2004016891.tif 000005
【図４】
2004016891.tif 000006
【図５】
2004016891.tif 000007
【図６】
2004016891.tif 000008